(57)【特許請求の範囲】
【請求項１】
前面基板の背面側に、行方向に延び列方向に並設されてそれぞれ表示ラインを形成する複数の行電極対とこの行電極対を被覆する誘電体層とが設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、
前記前面基板と前記背面基板との間に配置されて列方向に延びる縦壁部と行方向に延びる横壁部によって前記放電空間を前記単位発光領域毎に行方向と列方向に区画する隔壁を備え、前記誘電体層の前記隔壁の横壁部に対向する部分に横壁部側に張り出すように形成されて横壁部との間を閉じる嵩上げ部が形成され、前記隔壁の外端部が前記誘電体層の嵩上げ部が形成されていない部分に対向する位置に位置されており、
前記隔壁の外端部において単位発光領域を区画する一対の横壁部が、外端側にゆくにしたがって互いに接近して前記誘電体層の嵩上げ部が形成されていない部分に対向する位置において結合されていることを特徴とするプラズマディスプレイパネル。
【請求項２】
前記一対の横壁部の結合されている部分が、前記行電極対の間の部分に対向する位置にのみに位置されていることを特徴とする請求項１に記載されたプラズマディスプレイパネル。
【発明の詳細な説明】
【０００１】
【発明の属する技術分野】
この発明は、面放電方式交流型のプラズマディスプレイパネルに関し、特に、このプラズマディスプレイパネルの放電空間を区画する隔壁の構成に関する。
【０００２】
【従来の技術】
近年、大型で且つ薄型のカラー画面表示装置として面放電方式交流型プラズマディスプレイパネルが注目を集めており、その普及が図られて来ている。
【０００３】
図５は、この面放電方式交流型プラズマディスプレイパネルの従来のセル構造を模式的に示す平面図であり、図６は、図５のＶ−Ｖ線における断面図、図７は、図５のＷ−Ｗ線における断面図である。
【０００４】
この図５ないし７において、プラズマディスプレイパネルの表示面となる前面ガラス基板１側には、その裏面に、複数の行電極対（Ｘ’，Ｙ’）と、この行電極対（Ｘ’，Ｙ’）を被覆する誘電体層２と、この誘電体層２の裏面を被覆するＭｇＯからなる保護層３が順に設けられている。
【０００５】
各行電極Ｘ’，Ｙ’は、それぞれ、幅の広いＩＴＯ等の透明導電膜からなる透明電極Ｘａ’，Ｙａ’と、その導電性を補う幅の狭い金属膜からなるバス電極Ｘｂ’，Ｙｂ’とから構成されている。
【０００６】
そして、行電極Ｘ’とＹ’とが放電ギャップｇ’を挟んで対向するように列方向に交互に配置されており、各行電極対（Ｘ’，Ｙ’）によって、マトリクス表示の１表示ライン（行）Ｌが構成される。
【０００７】
一方、希ガスが封入された放電空間Ｓ’を介して前面ガラス基板１に対向する背面ガラス基板４には、行電極対Ｘ’，Ｙ’と直交する方向に延びるように配列された複数の列電極Ｄ’と、この列電極Ｄ’間にそれぞれ平行に延びるように形成された帯状の隔壁５と、この隔壁５の側面と列電極Ｄ’を被覆するそれぞれＲ，Ｇ，Ｂに色分けされた蛍光体層６とが設けられている。
【０００８】
そして、各表示ラインＬにおいて、列電極Ｄ’と行電極対（Ｘ’，Ｙ’）が交差し、隔壁５によって放電空間Ｓ’が区画されることにより形成された単位発光領域に、放電セルＣ’がそれぞれ画定されている。
【０００９】
上記の面放電方式交流型ＰＤＰにおける画像の表示は、以下のようにして行われる。
すなわち、先ず、アドレス操作により、各放電セルＣ’において行電極対（Ｘ’，Ｙ’）と列電極Ｄ’との間で選択的に放電が行われ、点灯セル（誘電体層２に壁電荷が形成された放電セルＣ’）と消灯セル（誘電体層２に壁電荷が形成されなかった放電セルＣ’）とが、表示する画像に対応してパネル上に分布される。
【００１０】
このアドレス操作の後、全表示ラインＬにおいて一斉に、行電極対（Ｘ’，Ｙ’）に対して交互に放電維持パルスが印加され、この放電維持パルスが印加される毎に、点灯セルにおいて面放電が発生される。
【００１１】
以上のようにして、点灯セルにおける面放電により紫外線が発生され、放電空間Ｓ’内のＲ，Ｇ，Ｂの蛍光体層６がそれぞれ励起されて発光することにより、表示する画面が形成される。
【００１２】
【発明が解決しようとする課題】
上記のような面放電方式交流型プラズマディスプレイパネルにおいて、画面の精細度を上げるためには、各放電セルＣ’のサイズを小さくして画面の画素数を増やすことが必要になるが、この画面の高精細化に対応するために、行電極対（Ｘ’，Ｙ’）のピッチを狭めてゆくと、列方向に隣接する放電セルＣ’間で放電の干渉が生じ、誤放電が発生し易くなるという問題が生じる。
【００１３】
そこで、本発明の出願人は、先に、前面ガラス基板と背面ガラス基板との間に介在された井桁状の隔壁または列方向に平行に配列された梯子状の隔壁によって、放電空間を放電セル毎に区画することにより、画面の高精細化に対応して行電極対（Ｘ’，Ｙ’）のピッチを狭めた場合でも、隣接する放電セルＣ’間で放電の干渉が生じるのを防止することが出来る新たなプラズマディスプレイパネルの提案を行っている。
【００１４】
図８および９は、この新たな提案にかかるプラズマディスプレイパネルのうち、列方向に平行に配列された複数の梯子状の隔壁によって、放電空間を放電セル毎に区画した例を示している。
【００１５】
この図８および９において、プラズマディスプレイパネルは、表示面である前面ガラス基板１０の背面に、複数の行電極対（Ｘ，Ｙ）が、前面ガラス基板１０の行方向（図８の左右方向）に延びるように平行に配列されている。
【００１６】
行電極Ｘは、ＩＴＯ等の透明導電膜からなる透明電極Ｘａと、前面ガラス基板１０の行方向に延びて透明電極Ｘａの基端部に接続された金属膜からなるバス電極Ｘｂによって構成されている。
【００１７】
行電極Ｙも同様に、透明電極Ｙａと、金属膜からなるバス電極Ｙｂによって構成されている。
この行電極ＸとＹは、前面ガラス基板１０の列方向（図８の上下方向）に交互に配列されており、バス電極ＸｂとＹｂに沿って並列されたそれぞれの透明電極ＸａとＹａが、互いに対となる相手の行電極側に延びて、透明電極ＸａとＹａの頂辺が、それぞれ所要の幅の放電ギャップを介して互いに対向されている。
【００１８】
前面ガラス基板１０の背面には、さらに、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ部１１Ａが、バス電極Ｘｂ，Ｙｂと平行に延びるように形成されている。
【００１９】
そして、この誘電体層１１と嵩上げ部１１Ａの背面側には、ＭｇＯからなる保護層１２が形成されている。
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００２０】
背面ガラス基板１３の表示側の面上には、さらに、列電極Ｄを被覆する白色の誘電体層１４が形成され、この誘電体層１４上に、列方向に平行に配列された梯子状の複数の隔壁１５が形成されている。
【００２１】
各隔壁１５は、互いに平行に配列された各列電極Ｄの間の位置において列方向に延びる縦壁１５ａと嵩上げ部１１Ａに対向する位置において行方向に延びる横壁１５ｂとによって、それぞれが梯子状に形成されている。
【００２２】
そして、この各隔壁１５によって、前面ガラス基板１０と背面ガラス基板１３の間の空間が、各行電極対（Ｘ，Ｙ）において対となった透明電極ＸａとＹａに対向する部分毎に区画されて、それぞれ方形の放電セルＣが形成されている。
【００２３】
このプラズマディスプレイパネルの隔壁１５は、背面ガラス基板１３上にパターニングされたガラス層を焼成することによって形成されるが、この隔壁１５の焼成時に、ガラス層の収縮によって、隔壁１５の角部（図８および９のα部分）が10ミクロン程度盛り上がってしまう。
【００２４】
このため、前面ガラス基板１０を背面ガラス基板１３上に重ね合わせて組み立てた際に、隔壁１５の角部の盛り上がった部分αが前面ガラス基板１０の嵩上げ部１１Ａに当接して、隔壁１５の横壁１５ｂと嵩上げ部１１Ａとの間に隙間が形成されることになり、プラズマディスプレイパネルの駆動時にパネルに振動が発生し易くなって、不要な振動音が発生するといった問題が生じてくる。
このような問題は、隔壁を井桁状に形成した場合にも発生する。
【００２５】
この発明は、上記のような面放電方式交流型プラズマディスプレイパネルにおける問題点を解決するために為されたものである。
すなわち、この発明は、隔壁の縦壁部および横壁部によって放電空間を区画する面放電方式交流型プラズマディスプレイパネルにおいて、隔壁の形成時に生じる盛り上がりによって前面基板と背面基板との間に不要な隙間が形成されるのを防止することを目的としている。
【００２６】
【課題を解決するための手段】
本発明によるプラズマディスプレイパネルは、上記目的を達成するために、一つの特徴としては、前面基板の背面側に、行方向に延び列方向に並設されてそれぞれ表示ラインを形成する複数の行電極対とこの行電極対を被覆する誘電体層とが設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、前記前面基板と前記背面基板との間に配置されて列方向に延びる縦壁部と行方向に延びる横壁部によって前記放電空間を前記単位発光領域毎に行方向と列方向に区画する隔壁を備え、前記誘電体層の前記隔壁の横壁部に対向する部分に横壁部側に張り出すように形成されて横壁部との間を閉じる嵩上げ部が形成され、前記隔壁の外端部が前記誘電体層の嵩上げ部が形成されていない部分に対向する位置に位置されていることを特徴としている。
【００２７】
この特徴によると、列方向に延びる縦壁部と行方向に延びる横壁部を有する隔壁によって、前面基板と背面基板の間の放電空間が単位発光領域毎に区画され、さらに、誘電体層の隔壁の横壁部に対向する部分に横壁部側に張り出すように形成された嵩上げ部によって、隔壁によって区画されて列方向に配列された単位発光領域毎の放電空間の間が対向する隔壁の横壁部との間で遮蔽されて、この列方向において隣接する単位発光領域間で放電の干渉が生じて誤放電が発生するのが防止される。
【００２８】
そして、この隔壁を背面基板上にパターニングされたガラス層の焼成などによって形成する場合に、隔壁の外端部の角部などに焼成の際の収縮などによって盛り上がりが生じても、この盛り上がりが生じる隔壁の外端部が、誘電体層に対して、嵩上げ部が形成されている部分とは別の部分と対向する位置に位置されていることにより、前面基板と背面基板を重ね合わせてプラズマディスプレイパネルを組み立てる際に、隔壁の外端部分に生じた盛り上がり部分が誘電体層の嵩上げ部に接触することがない。
【００２９】
以上のように、この特徴によれば、隔壁の形成時に生じる盛り上がりによって、本来接触すべき誘電体層の嵩上げ部と隔壁の横壁部との間に不要な隙間が形成されるのを防止することができ、これによって、プラズマディスプレイパネルの駆動時に振動音が発生するのを防止することができる。
【００３０】
そして、誘電体層の嵩上げ部と隔壁の横壁部とを完全に密着させて隣接する放電空間の間の放電の干渉を防止することが出来るとともに、前面基板と背面基板との間の距離の均一化を図ることによって、電圧マージンの改善を行うことが出来る。
【００３１】
そして、本発明によるプラズマディスプレイパネルは、前記目的を達成するために、前記の特徴に加えて、前記隔壁の外端部において単位発光領域を区画する一対の横壁部が、外端側にゆくにしたがって互いに接近して前記誘電体層の嵩上げ部が形成されていない部分に対向する位置において結合されていることを特徴としている。
【００３２】
これによると、本発明のプラズマディスプレイパネルは、隔壁の形状が、前面基板に形成されている誘電体層の嵩上げ部に対向する位置において行方向に延びる一対の横壁部が、隔壁の外端部において外側にゆくにしたがって互いに接近するように延びて、誘電体層の隣接する一対の嵩上げ部の間の中間位置において結合される形状に形成される。
【００３３】
従って、本発明によれば、隔壁の形成時に生じる盛り上がりが、誘電体層の隣接する一対の嵩上げ部の間の中間位置に位置する横壁部の結合部分に生じることになり、前面基板と背面基板が重ね合わされた際に、この盛り上がり部分と誘電体層の嵩上げ部とが接触するのを回避することが出来る。
【００３４】
【発明の実施の形態】
以下、この発明の最も好適と思われる実施の形態について、図面を参照しながら詳細に説明を行う。
【００３５】
図１ないし４は、この発明によるプラズマディスプレイパネルの実施形態の一例を示すものであって、この例におけるプラズマディスプレイパネルの周縁部を模式的に表す平面図であり、図２は図１のＷ１−Ｗ１線における断面図、図３は図１のＷ２−Ｗ２線における断面図、図４は図１のＶ１−Ｖ１線における断面図である。
【００３６】
この図１ないし４に示されるプラズマディスプレイパネルは、図８および９のプラズマディスプレイパネルと同様に、梯子状に形成されてパネルの列方向に平行に配列された複数の隔壁２５によって前面ガラス基板１０と背面ガラス基板１３の間の放電空間を放電セルＣ毎に区画する構成を備えているものであって、図８および９のプラズマディスプレイパネルと同様の構成については、同一の符号が付されている。
【００３７】
すなわち、表示面である前面ガラス基板１０の背面に、透明電極Ｘａとバス電極Ｘｂからなる行電極Ｘと、同じく、透明電極Ｙａとバス電極Ｙｂからなる行電極Ｙが、それぞれ対となるように、前面ガラス基板１０の行方向（図１の左右方向）に沿って等間隔に配列されている。
【００３８】
前面ガラス基板１０の背面には、さらに、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ部１１Ａが、バス電極Ｘｂ，Ｙｂと平行に延びるように形成されている。
そして、この誘電体層１１と嵩上げ部１１Ａの背面側には、ＭｇＯからなる保護層１２が形成されている。
【００３９】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００４０】
背面ガラス基板１３の表示側の面上には、さらに、列電極Ｄを被覆する白色の誘電体層１４が形成され、この誘電体層１４上に、梯子状に形成された複数の隔壁２５が、パネルの行方向に延び列方向に平行に並ぶように配列されている。
【００４１】
この各隔壁２５は、互いに等間隔に平行に配列された各列電極Ｄの間の中間位置において列方向に延びる複数の縦壁２５ａと、嵩上げ部１１Ａに対向する位置において行方向に延びる一対の横壁２５ｂとによって梯子状に形成されている。
【００４２】
そして、この梯子状の隔壁２５によって、前面ガラス基板１０と背面ガラス基板１３の間の放電空間が、各行電極対（Ｘ，Ｙ）において対となった透明電極ＸａとＹａに対向する部分毎に区画されて、それぞれ方形の放電セルＣが形成されている。
【００４３】
ここで、図１において、ＣａおよびＣａ’は、隔壁２５の外端部分に形成され、プラズマディスプレイパネルの表示面の表示領域の外側に位置して行電極対（Ｘ，Ｙ）が配置されていないダミーセルを示している。
【００４４】
この隔壁２５のプラズマディスプレイパネルの表示面の表示領域の外側（図１のラインｍよりも左側の部分）に位置する部分は、一対の横壁２５ｂの表示領域の内側（図１のラインｍよりも右側の部分）に位置する放電セルＣに隣接するダミーセルＣａよりも外側に延びている部分が、互いに接近するように屈曲していて、誘電体層１１の放電空間を挟んで隣接する嵩上げ部１１Ａの間の中間位置において互いに連結されている。
【００４５】
そして、この隔壁２５の横壁２５ｂの屈曲部分２５ｂ’によって区画されたダミーセルＣａ’が略三角形状に形成されている。
なお、この図１ないし４には、プラズマディスプレイパネルの左側縁部の構成が示されているが、パネルの左側縁部においても同様に構成されている。
【００４６】
このプラズマディスプレイパネルの隔壁２５は、図８および９のプラズマディスプレイパネルの隔壁と同様に、背面ガラス基板１３上にパターニングされたガラス層を焼成することによって形成され、このため、この隔壁２５においても、その端部部分に、焼成によるガラス層の収縮によって盛り上がりが生じてしまう。
【００４７】
しかしながら、図１から分かるように、隔壁２５の外端部分が、一対の横壁２５ｂの屈曲部分２５ｂ’が誘電体層１１の嵩上げ部１１Ａの中間位置において連結された略三角形状に構成されていることによって、隔壁２５の焼成によって盛り上がりが生じる部分βが、誘電体層１１の嵩上げ部１１Ａが形成されていない部分に対向する位置に位置されることになる。
【００４８】
このため、隔壁２５と誘電体層１１との間に隙間ｓ（図３および４を参照）が設けられる部分に隔壁２５の盛り上がり部分βが位置されることになり、これによって、前面ガラス基板１０と背面ガラス基板１３を重ね合わせた際に、盛り上がり部分βが誘電体層１１の嵩上げ部１１Ａに接触することがなくなり、本来当接しなければならない隔壁２５の横壁２５ｂと嵩上げ部１１Ａとの間に不要な隙間が形成されることが無くなる。
【００４９】
なお、上記においては、隔壁が梯子状に形成される場合の例が示されているが、隔壁を井桁状に形成する場合にも、同様に構成することが出来る。
【図面の簡単な説明】
【図１】この発明の実施形態の一例を模式的に表す平面図である。
【図２】図１のＷ１−Ｗ１線における断面図である。
【図３】図１のＷ２−Ｗ２線における断面図である。
【図４】図１のＶ１−Ｖ１線における断面図である。
【図５】従来のプラズマディスプレイパネルの構成を模式的に表す平面図である。
【図６】図５のＶ−Ｖ線における断面図である。
【図７】図５のＷ−Ｗ線における断面図である。
【図８】出願人の提案にかかるプラズマディスプレイパネルを模式的に表す平面図である。
【図９】図８のＷ−Ｗ線における断面図である。
【符号の説明】
１０    …前面ガラス基板（前面基板）
１１    …誘電体層
１１Ａ  …嵩上げ部
１２    …保護層
１３    …背面ガラス基板（背面基板）
１４    …誘電体層
２５    …隔壁
２５ａ  …縦壁（縦壁部）
２５ｂ  …横壁（横壁部）
２５ｂ’…屈曲部分
Ｘ      …行電極
Ｘａ    …透明電極
Ｘｂ    …バス電極
Ｙ      …行電極
Ｙａ    …透明電極
Ｙｂ    …バス電極
Ｄ      …列電極
Ｃ      …放電セル（単位発光領域）
Ｃ’，Ｃａ…ダミーセル
ｓ      …画素
β      …盛り上がり部分
【図１】
0003641386.tif 000002
【図２】
0003641386.tif 000003
【図３】
0003641386.tif 000004
【図４】
0003641386.tif 000005
【図５】
0003641386.tif 000006
【図６】
0003641386.tif 000007
【図７】
0003641386.tif 000008
【図８】
0003641386.tif 000009
【図９】
0003641386.tif 000010